(57)【要約】【課題】家族の増減等、ライフスタイルの変化に対応するため、床下に出没自在に収納可能な昇降キャビネットを含み、必要なときにはカウンター面積を広げることの可能な昇降自在型キャビネットセットを提供する。【解決手段】床面から出没自在に昇降する昇降キャビネット１と床面をスライド移動する移動キャビネット２、３とからなり、上記昇降キャビネット１は不使用時には床下に収納され、その上方には移動キャビネット２、３が床板Ｆを介して覆設し、昇降キャビネット１の使用時には床下から上昇するとともに、移動キャビネット２、３がスライド移動して上昇スペースが空けられる昇降自在型キャビネットセットＡ。【選択図】図１
2008022945.tif 000002
【特許請求の範囲】
【請求項１】
床面から出没自在に昇降する昇降キャビネットと床面をスライド移動する移動キャビネットとからなり、上記昇降キャビネットは不使用時には床下に収納され、その上方には移動キャビネットが床板を介して覆設し、昇降キャビネットの使用時には床下から上昇するとともに、移動キャビネットがスライド移動して上昇スペースが空けられる昇降自在型キャビネットセット。
【請求項２】
上記昇降キャビネットを中央部にして左右に移動キャビネットを直線的に配置してなる請求項１に記載の昇降自在型キャビネットセット。
【請求項３】
上記昇降キャビネットの両側に２つの移動キャビネットをＬ字型に配置してなる請求項１に記載の昇降自在型キャビネットセット。
【請求項４】
上記２つの移動キャビネットのうち１つを固定して用いる請求項２または３に記載の昇降自在型キャビネットセット。
【発明の詳細な説明】
【技術分野】
【０００１】
本発明は、キャビネットセットに関する。さらに詳しくは、家族の増減等、ライフスタイルの変化に対応して床面から出没自在に昇降するキャビネットを含む昇降自在型キャビネットセットに関する。
【背景技術】
【０００２】
近年、キッチン等で床下収納庫が一般的に用いられている。さらに、収納庫本体が床下に昇降自在に設けられ、収納物を出し入れする際、使用者が屈む等、無理な姿勢をとることなく、電動式昇降装置を用いて収納庫本体を上昇させ、必要な物を取出し、あるいは収納して、用が済んだ後は床下に下降させる昇降自在型の床下収納庫も普及しつつある。
【０００３】
一方下記特許文献１には、簡単な構成で組立を容易に行うことができ、カウンタートップの高さを使用者の身長や車椅子の使用者に合わせて調整可能とされた昇降式カウンタートップ装置が開示されている。
【特許文献１】特開平１１−２８１２５号公報（第１〜３頁、第１図、第２図）
【発明の開示】
【発明が解決しようとする課題】
【０００４】
上記電動式昇降装置を用いて収納庫本体を昇降可能とされた床下収納庫は床下に収納されたとき、上方の床面は空きスペースとなり、他のキャビネット類を設置できないという問題がある。また、上記特許文献１に記載の技術は単にキッチンカウンターのカウンタートップを手動で簡単に昇降できる昇降式カウンタートップ装置が記載されているにすぎない。
【０００５】
本発明は、家族の増減等、ライフスタイルの変化に対応するため、床下に出没自在に収納可能とされた昇降キャビネットを含み、キッチン等の床面積を有効に使用できるとともに、必要なときにはカウンター面積を広げることの可能な昇降自在型キャビネットセットを提供することを、その課題とする。
【課題を解決するための手段】
【０００６】
上記課題を解決するために、本発明においては、つぎのような技術的手段を講じている。すなわち、請求項１に記載の発明によれば、床面から出没自在に昇降する昇降キャビネットと床面をスライド移動する移動キャビネットとからなり、上記昇降キャビネットは不使用時には床下に収納され、その上方には移動キャビネットが床板を介して覆設し、昇降キャビネットの使用時には床下から上昇するとともに、移動キャビネットがスライド移動して上昇スペースが空けられる昇降自在型キャビネットセットが提供される。
【０００７】
上記昇降キャビネットの昇降装置は公知のものが用いられ、電動式にギヤを駆動して昇降させるもの、油圧シリンダーでピストンを伸縮させるもの、Ｘ型リンク機構によるもの等をあげることができる。また、移動キャビネットのスライド移動手段としては、とくに限定されず、床面に敷設したスライドレールによるもの、移動キャビネットの底面にキャスターを取り付け移動自在としたもの等をあげることができる。
【０００８】
請求項２に記載の昇降自在型キャビネットセットは、請求項１に記載の発明に加えて、上記昇降キャビネットを中央部にして左右に移動キャビネットを直線的に配置して構成される。
【０００９】
請求項３に記載の昇降自在型キャビネットセットは、請求項１に記載の発明に加えて、上記昇降キャビネットの両側に２つの移動キャビネットをＬ字型に配置して構成される。
【００１０】
請求項４に記載の昇降自在型キャビネットセットは、請求項２または３に記載の発明に加えて、上記２つの移動キャビネットのうち１つを固定して固定キャビネットとして用いてもよい。
【発明の効果】
【００１１】
請求項１に記載の発明にかかる昇降自在型キャビネットセットは上記のとおりであり、不使用時には床下に収納され、使用時には床下から上昇する昇降キャビネットと床面をスライド移動する移動キャビネットとからなるため、昇降キャビネットを使用しないときは床下に収納して、例えば、キッチンの床面を広く、有効に使用することができる。また、家族が増えたり、来客があったとき等は、昇降キャビネットを上昇させ、キャビネットを１つ増やして、カウンター面を広く取って対応することができる。
【００１２】
請求項２に記載の昇降自在型キャビネットセットは上記のとおりであり、請求項１の昇降自在型キャビネットセットの有する効果に加え、上記昇降キャビネットを中央部にして左右に移動キャビネットを配置してなるため、家族が少ないときは、昇降キャビネットを床下に収納し、左移動キャビネットと右移動キャビネットの２つを並べて使用し、例えば、キッチンを広く、かつ、床面を有効に使用することができる。
【００１３】
請求項３に記載の昇降自在型キャビネットセットは上記のとおりであり、請求項１の昇降自在型キャビネットセットの有する効果に加え、上記昇降キャビネットの両側に２つの移動キャビネットをＬ字型に配置してなるため、家族が少ないときは、昇降キャビネットを床下に収納し、左移動キャビネットと右移動キャビネットの２つを直接Ｌ字型に並べて使用し、例えば、キッチンを広く、かつ、床面を有効に使用することができる。
【００１４】
請求項４に記載の昇降自在型キャビネットセットは上記のとおりであり、請求項２または３の昇降自在型キャビネットセットの有する効果に加え、上記２つの移動キャビネットのうち１つを固定して用いることにより、例えば、固定した移動キャビネットに、配管が接続されたシンク等を設け、他方の移動キャビネットをスライド移動自在としてキッチンカウンターとして用いることができる。
【発明を実施するための最良の形態】
【００１５】
以下、本発明の実施形態について図面を参照して詳細に説明する。図１は、本発明の第１実施形態にかかる昇降自在型キャビネットセットＡの概略構成を示す説明図である。図１に示すように、上記昇降自在型キャビネットセットＡは、昇降キャビネット１を中央部にして左移動キャビネット２と右移動キャビネット３を配置してなり、昇降キャビネット１を使用しないときは、点線で示すように床板Ｆの下方に収納される。
【００１６】
図２は、図１に示す昇降キャビネット１を図示しない昇降装置により床下に収納した状態を示す部分断面説明図である。図２に右向きの矢印で示すように、左移動キャビネット２はスライドレール４によって右方向にスライド移動し、床下に収納した昇降キャビネット１の上方に床板Ｆを介して覆設される。このようにすることによって、家族が少ないときは、左移動キャビネット２と右移動キャビネット３の２つを並べて配置したとき、床面を有効に使用することができる。
【００１７】
図３は、図２において、左移動キャビネット２を矢印で示すように、左方向にスライドさせるとともに、左移動キャビネット２と右移動キャビネット３との間に昇降キャビネット１の上昇スペースを空け、矢印の方向に上昇させる状態を示す部分断面説明図である。図３に示すように、昇降キャビネット１を図示しない昇降装置により上昇させ、部分床板Ｆａを取り去り、昇降キャビネット１、左移動キャビネット２、右移動キャビネット３の各カウンター面を面一とすることにより、３つのキャビネットが使用可能な状態となる。このようにすることにより、家族が増えたり、来客があったとき等、カウンター面を広く使用することができる。
【００１８】
なお、図２、図３に示す形態は左移動キャビネット２をスライド移動させたが、右移動キャビネット３をスライド移動することも可能である。また、左移動キャビネット２と右移動キャビネット３のいずれかを固定して用いることもできる。例えば、シンク等、配管が接続されているため、移動できない場合は、そのキャビネットを固定して用いることもできる。図４は、図１に示す右移動キャビネット３にシンク５を設けてキッチンキャビネットとし、昇降キャビネット１と左移動キャビネット２とをキッチンカウンターとして用いた例を示す斜視図である。
【００１９】
図５は、本発明の第２実施形態にかかる昇降自在型キャビネットセットＢの概略構成を示す説明図である。図５に示すように、本実施形態においては昇降キャビネット６を中央部に左移動キャビネット７、右移動キャビネット８をＬ字型に配置してなり、昇降キャビネット６は、使用しないときには、点線で示すように床板Ｆの下方に収納される。そして、家族が少ないときは左移動キャビネット７と右移動キャビネット８を直接Ｌ字型に並べ、例えば、キッチンの床面に配置したとき、有効に使用することができる。
【００２０】
図６は上記第２実施形態の変形例にかかる昇降自在型キャビネットセットＣを示す概略平面図である。本変形例においては、昇降キャビネット６ａを中央部に配置し、左移動キャビネット７ａをスライド移動自在に、シンク５ａを備えた右移動キャビネット８ａを固定して用いる。このようにすることにより、矢印で示すように、左移動キャビネット７ａをスライド移動させ、家族が少ないときは昇降キャビネット６ａを床下に収納して左移動キャビネット７ａと右移動キャビネット８ａとを直接Ｌ字型に配設し、例えば、キッチンの床面を有効に使用することができる。また、家族が増えたときや、来客のとき等は昇降キャビネット６ａを上昇させ、カウンター面を広く使用することができる。
【００２１】
上記は、本発明の昇降自在型キャビネットセットをキッチンに配置した実施形態について述べたが、キッチンのみならず、洗面所等にも適用可能である。このように、本発明は種々設計変更可能であり、特許請求の範囲を逸脱しない限り本発明の技術的範囲に含まれる。
【図面の簡単な説明】
【００２２】
【図１】本発明の第１実施形態にかかる昇降自在型キャビネットセットの概略構成を示す説明図である。
【図２】第１実施形態にかかる昇降キャビネットを床下に収納した状態を示す部分断面説明図である。
【図３】第１実施形態にかかる左移動キャビネットをスライド移動させるとともに、昇降キャビネットを上昇させる状態を示す部分断面説明図である。
【図４】第１実施形態にかかる右移動キャビネットにシンクを設けてキッチンキャビネットとして用いた例を示す斜視図である。
【図５】本発明の第２実施形態にかかる昇降自在型キャビネットセットの概略構成を示す説明図である。
【図６】第２実施形態の変形例にかかる昇降自在型キャビネットセットを示す概略平面図である。
【符号の説明】
【００２３】
Ａ          第１実施形態にかかる昇降自在型キャビネットセット
Ｆ          床板
Ｆａ        部分床板
１          昇降キャビネット
２          左移動キャビネット
３          右移動キャビネット
４          スライドレール
５          シンク
Ｂ          第２実施形態にかかる昇降自在型キャビネットセット
６          昇降キャビネット
７          左移動キャビネット
８          右移動キャビネット
Ｃ          第２実施形態の変形例にかかる昇降自在型キャビネットセット
５ａ        シンク
６ａ        昇降キャビネット
７ａ        左移動キャビネット
８ａ        右移動キャビネット
【図１】
2008022945.tif 000003
【図２】
2008022945.tif 000004
【図３】
2008022945.tif 000005
【図４】
2008022945.tif 000006
【図５】
2008022945.tif 000007
【図６】
2008022945.tif 000008